(57)【要約】【課題】各ピンの底部に設けた各紐の結束を手間がかからなく容易にできるようにする。【解決手段】各紐の他端側を一つにまとめる方法が、各紐を束ねてテーピングと結束バンドで引き締め、各紐の端部を揃えて融着する。【選択図】  図１
2007301261.tif 000002
【特許請求の範囲】
【請求項１】
水平に配置したピンデツキ板に、ボウリング所定のピン配置に対応した各位置に通し穴をそれぞれあけ、ピンデツキ板上に乗せた各ピンの底側に一端をそれぞれ取り付けた各紐を各通し穴からピンデツキ板の下方へそれぞれ出し、各紐の他端側を一つにまとめ、ピンデツキ板の後側に反射板を配設したボウリング遊具において、各ピン起立紐の他端側を一つにまとめる方法が、各ピン起立紐を束ねてテーピングと結束バンドで引き締め、ピン起立紐の端部を揃えて融着したピン起立紐結束方法で製作したことを特徴とするボウリング遊具。
【請求項２】
各ピン起立紐の他端側を一つにまとめる方法が、各ピン起立紐が化学繊維紐と天然繊維紐を金具で連結して形成し、各ピン底部側に化学繊維紐を設け、他端側の各天然繊維紐に接着剤を塗布し結束バンドで締め付けて結束した請求項第１項記載のボウリング遊具。
【請求項３】
各ピン起立紐を一つにまとめる方法が、各ピン起立紐の他端側に圧着端子を設け、圧着端子を連結板に木ネジで螺着して取り付けた請求項第１項記載のボウリング遊具。
【請求項４】
各ピン起立紐を一つにまとめる方法が、各ピン起立紐の他端側に輪状部を形成し、輪状部を連結板に木ネジで螺着して取り付けた請求項第１項記載のボウリング遊具。
【請求項５】
各ピン起立紐をまとめる方法が、紐取付具に各ピン起立紐の他端部側を取り付け、各ピン起立紐の中間部を調整金具を介して各ピン起立紐の引張力が同等に各ピンに伝わるように、各ピン起立紐の長さを調整可能である請求項第１項記載のボウリング遊具。
【請求項６】
各ピン起立紐をまとめる方法が、ピン起立紐の他端部を紐取付具に捲着して取り付け、ピン起立紐と捲着して折り返したピン起立紐の部分を圧着コネクターを介して結合したことを特徴とする請求項第１項記載のボウリング遊具。
【請求項７】
各ピン起立紐の結束を複数の結束たばに分けて構成したことを特徴とする請求項第１項から第５項のいずれか一項記載のボウリング遊具。
【請求項８】
使用するボールが、ボールに貫通穴を穿設した中空のプラスチツクで形成し、内部に詰め物をしたことを特徴とする請求項第１項から第７項のいずれか一項記載のボウリング遊具。
【請求項９】
クツシヨン材を着脱自在に取り付けた既製の物品をピンデツキ板の後方に配設したことを特徴とする請求項第１から第８項のいずれか一項記載のボウリング遊具。
【請求項１０】
各ピンの底部にピン起立紐を取り付ける方法が、ピン底部に脚部と紐取付穴を設けた紐取付部を形成し、前記各ピンの紐取付穴にピン起立紐を取り付けた請求項第１項から第９項のいずれか一項記載のボウリング遊具。
【請求項１１】
各ピンの底部にピン起立紐を取り付ける方法が、各ピン底部に突出して紐取付部を設け、各ピンに対応するピンデツキ板の各ピン載置部に窪み部を形成し、前記各紐取付部と各窪み部が組み合い、且各紐取付部に各ピン起立紐を取り付けたことを特徴とする請求項第１項から第９項のいずれか一項記載のボウリング遊具。
【発明の詳細な説明】
【技術分野】
【０００１】
本発明は、ボウリング遊具の各ピンの底部に設けている紐を緩むことなく結束し一体化する方法で製作し、且ボールがピンに当る衝撃力を向上させ、且スペアをとることが可能で、且命中精度を高め、且ピン底部に紐を簡素化した方法で取り付けることができるボウリング遊具に関する。
【背景技術】
【０００２】
従来のボウリング遊具のピン起立紐の結束方法は、各ピン起立紐の端部を紐取付具に緊縛して取り付けたものがある。（例えば特許文献１参照）
また、複数の取付穴を穿設した紐取付具に緊縛して取り付けたものもある。（例えば特許文献２参照）
【０００３】
スペアをとる方法として、ピンデツキ板の後部に反射板を配設し、反射板にクツシヨン材を取り付けたものもある。（例えば特許文献３参照）
【０００４】
またスペアをとる方法として、ピンデツキ板の後方に離して反射板を配設したものもある。（例えば特許文献４参照）  
【０００５】
以下、図１６、図１７により従来のピン起立紐の結束方法について説明する。図において、１はピンで、３はピンを起立させるピン起立紐でリング形状の紐取付具１３に緊縛して取り付けている。
【０００６】
図１７に示す紐取付具１３は複数の取付穴を穿設しておりピン起立紐３を取付穴に分散して緊縛して取り付けている。
【０００７】
図１８に示す反射板３０はピンデツキ板２の後部に立設して取り付け、反射板３０の前側にクツシヨン材３１を取り付けている。  
【０００８】
図１９に示す反射板３０はピンデツキ板２の後方にピンデツキ板２と分離して配設している。
【０００９】
図２０に示す従来の市販されているボウリング遊具のボール１１は中空のプラスチツクのものを使用している。またボール１１には指を差し込む凹部１６を三箇所形成している。  
【００１０】
図２１に示す従来のピン１底部にピン起立紐３を取り付ける方法として、ピン１底部に底穴３８を穿設し、連結金具２１の取付穴４にピン起立紐３を挿通し且先端部に結び目２２を形成し、前記底穴３８に結び目２２でピン起立紐３と連結金具２１が一体に組み合つたものを底穴３８から押し込んで、ピン１底部にピン起立紐３を取り付けている。（例えば、特許文献１参照）  
【００１１】
【特許文献１】特開２００１−９０８１号公報
【特許文献２】特開２００３−１４４６０１号公報
【特許文献３】特開２００３−３８７０５号公報
【特許文献４】特開２００３−３８７０５号公報
【発明の開示】
【発明が解決しようとする課題】
【００１２】
以上に述べた従来のピン起立紐の結束方法で製作され、反射板を配設してあるボウリング遊具は、ピンが起立した状態で各ピン起立紐にかかる引張力が同等にして緊縛して取り付けなければならず、ピンと紐取付具を連結するには、ピンデツキ板と紐取付具を固定し、各ピン起立紐にかかる引張力が同等になるように紐一本一本を調整しながら紐取付具に慎重に緊縛して取り付けなければならず、手間がかかるものであつた。また長年使用しているうちに、緊縛部の結び目が緩んでくることがあり、結束した紐を引いた場合、緩んだ紐に連結しているピンを起立させることができず、その都度、手で立てる手間がかかつていた。また反射板を設けたものは、構造上設けるためのコストが高くなるという問題点があつた。更に使用するボールが中空のプラスチツクで形成されたものは、製造コストを低くすることはできるが、軽量であるためボールをピンに当てたときの衝撃力が弱く、全部のピンを倒す確率が低くボウリング本来の醍醐味であるストライクがなかなかとれないという欠点もあつた。またボウリングボールに形成している三箇所の凹部は本物のボールらしく見せるための単なる飾りデザインで、ボールに指を差し込んで投球することができなく正確なボールコントロールができないという欠点もあつた。またピン底部とピン起立紐を連結金具を介して連結したものは、組み合わせ取り付けに手間がかかるという問題点があつた。
【００１３】
本発明は、このような従来の構成が有していた問題を解決しようとするものであり、各ピン起立紐にかかる引張力が同等になるよう短時間で容易に結束することができ、且結束した紐が緩むことがないようにし、また反射板を既存のものを活用して製造コストを大幅に低減し、且中空のプラスチツクのボールを使用しても、衝撃力を高め、全部のピンを倒す、所謂ストライクのとれる確率が高く、また指を差し込むことができ、ボールコントロールのし易く、且ピン底部に手間をかけずとも容易にピン起立紐を取り付けることができるボウリング遊具を実現することを目的とする。
【課題を解決するための手段】
【００１４】
そして、本発明は上記目的を達成するために水平に配置したピンデツキ板に、ボウリング所定のピン配置に対応した各位置に通し穴をそれぞれあけ、ピンデツキ板上に乗せた各ピンの底側に一端をそれぞれ取り付けた各紐を各通し穴から ピンデツキ板の下方へそれぞれ出し、各紐の他端側を一つにまとめ、ピンデツキ板の後側に反射板を配設したボウリング遊具において、紐の他端側を一つにまとめる方法が、各紐を束ねてテーピングと結束バンドで引き締め、紐の端部を揃えて融着したもので、本発明のボウリング遊具は前記したピン起立紐結束方法で製作したものである。
【００１５】
ピン起立紐は化学繊維、天然繊維を使用できるが、化学繊維では材質ポリエチレンのものが好ましい。現在においてはポリエチレンに効果のある接着剤は開発されておらず、各ピン起立紐を同等の引張力で束ねて端部を切断して揃え、過熱して溶融し各ピン起立紐を一体化するとよい。他に化学繊維のものとして、ポリプロピレン、ポリエステル、ナイロン、ビニロンクレモア、ポリエステル，ＫＰ等のものでもよい。
【００１６】
各ピン起立紐の他端側を一つにまとめる他の方法が、各ピン起立紐が化学繊維紐と天然繊維紐を金具で連結して形成し、各ピン底部側に化学繊維紐を設け、他端側の各天然繊維紐にボンド等の接着剤を塗布し結束バンドで締め付けて結束する。  
【００１７】
また各ピン起立紐の他端側に圧着端子を設け、圧着端子を木製の紐取付具に木ネジで螺着して取り付けて結束する。ピン起立紐は紐挿通部に挿通し紐端部に結び目を形成して取り付けるか、挿通部を圧着して紐を取り付けてもよい。
【００１８】
また各ピン起立紐の他端側に輪状部を形成し、輪状部を木製の紐取付具に木ネジで螺着して取り付けて結束してもよい。
【００１９】
また各ピン起立紐をまとめる方法が、紐取付具に各ピン起立紐の他端側を取り付け、各ピン起立紐の中間部を調整金具を介して各ピン起立紐の引張力が同等に各ピンに伝わるように各ピン起立紐の長さを調整可能としたものである。
【００２０】
また各ピン起立紐をまとめる方法が、ピン起立紐の他端部をリング形状の紐取付具に捲着して取り付け、紐取付具から捲着して折り返したピン起立紐の部分とピン起立紐を圧着コネクターを介して結合したものである。
【００２１】
またピン起立紐の結束を複数の結束たばに分けて構成したものである。結束たばは各紐を３本から５本をまとめて結束し、二つないし三つの結束たばに構成するとよい。
【００２２】
また本発明は既製の物品をピンデツキ板の後方に配設し、既製の物品にクツシヨン材を着脱自在に取り付けたものである。既製の物品としては、座卓テーブルを立てて使用したり木製の空箱を利用するとよい。
【００２３】
また本発明は使用するボールが、ボールに貫通穴を穿設した中空のプラスチツクで形成し、内部に詰め物をしたものである。詰め物はスポンジ、綿、布、テツシユペパーやトイレツトペーパー等の紙類や発泡スチロールが過度に重くならず効果的である。また貫通穴は詰め物を詰めると同時に人差し指や中指を差し込んでボールコントロールができるようにするためで、大人の中指が入る大きさに穿設するとよい。
【００２４】
また本発明の各ピン底部にピン起立紐を取り付ける方法が、ピン底部に脚部と紐取付穴を設けた紐取付部を形成し、前記各ピンの紐取付部にピン起立紐を取り付けたものである。ピン起立紐を紐取付穴に緊縛してもよいが、紐取付穴にピン起立紐を挿通し、先端部に結び目を形成して取り付けるとよい。  
【００２５】
また各ピン底部に突出して紐取付部を設け、各ピンに対応するピンデツキ板の各ピン載置部に窪み部を形成し、前記紐取付部と窪み部が組み合つて且紐取付部にピン起立紐を取り付けたものである。ピン起立紐は、他の請求項同様に紐取付穴に挿通し先端部に結び目を形成して取り付けるか、紐を輪状に形成して取り付けるとよい。
【００２６】
上記解決手段による作用は次ぎの通りである。図１０（イ）（ロ）（ハ）の矢印に示す通り、各ピン起立紐を束ねて引張し仮テーピングをする。ピンデツキ板に配設しているピンと束ねたピン起立紐を引つぱつた感覚で各ピン起立紐の引張力を感じとる。各ピン起立紐の引張力が同等であると感じたらテーピングテープの上から結束バンドで締め付けて結束する。更に結束した各ピン起立紐の端部を切断して揃え、束ねた各ピン起立紐の端面を高温で溶融する。溶融して融着した部分は短時間で冷却するが、冷却後は各ピンにかかる各ピン起立紐の引張力は同等で一体化する。
【００２７】
また結束する他端部側は天然繊維紐を使用するものは、ボンド等の接着剤と結束バンドの締め付け結束で各ピン起立紐は同等の引張力で一体化する。
【００２８】
各ピン起立紐の他端部側に圧着端子を設けたもの及び輪状部を形成したものは、ピンデツキ板と木製の紐取付具を固定し、各ピン起立紐を同等の引張力を維持した状態で木ネジで取り付ける。調整が悪く起立不十分なピンがある場合、そのピンのみ木ネジの取付位置を変更することにより容易に調整することができる。
【００２９】
またピン起立紐に調整金具を介したものは、ピンデツキ板と紐取付具を固定し、ピン底部側に設けたピン起立紐の他端側と紐取付具に設けたピン起立紐の他端側に輪状部を形成し、夫々のピン起立紐を引張した状態で夫々の輪状部を調整金具を曲折して連結し一体化する。  
【００３０】
各ピン起立紐の他端部を紐取付具に捲着し、紐取付具から捲着して折り返したピン起立紐の部分とピン起立紐を圧着コネクターに通し、専用の圧着工具で圧着して各ピン起立紐の引張力を同等にして一体化する。
【００３１】
また各ピン起立紐の結束を複数の結束たばに分けて構成したものは、各結束たばを握り紐で連結し、握り紐を引いて各ピンに引張力が伝えることができる。また握り紐の両側を両手で握つて引いた場合、各ピン起立紐を一つに結束した場合に比較しより弱い引張力でピンを起立させることができる。  
【００３２】
またピンデツキ板の後方に離して反射板を配設するには、既製の物品として座卓テーブルを利用する場合、座卓テーブルを立てテーブル上面にクツシヨン材をゴム紐で緊縛して取り付ける。一投目で倒れずピンデツキ板上に立ち残つたピンをニ投目で全部を倒す所謂スペアをとるには、反射板の位置角度を適宜に変えて使用することができる。また図１２に示すように、反射板を使用するときはピンデツキ板の向きを変えピン起立紐の束を斜め側方に配設し、紐を引き易くすることもできる。  
【００３３】
またボールに詰める詰め物は適当な大きさに小分けし、ドライバー等で貫通穴から押し込んでゆく。その場合詰め物がボール内部に均等に詰めることが好ましい。また投球時、貫通穴に中指や人差し指を差し込んでボールコントロールをすることができる。
【００３４】
紐取付部に設ける紐取付穴の径は、ピン起立紐を容易に挿通することができ且挿通したピン起立紐の端部に形成した結び目が、ピン起立紐に引張力をかけたとき抜けない大きさにすれば、各ピンにピン起立紐を容易に取り付け、一体化することができる。
【００３５】
ピン起立紐の先端部を紐取付穴に通し先端部に結び目を形成し、他端部をピンデツキ板の通し穴に通すだけでピン起立紐を取り付けることができる。
【発明の効果】
【００３６】
上述したように本発明のボウリング遊具は、各ピンを一勢に起立させる各ピン起立紐の結束を短時間で容易に製作することができ手間がかからなくなつた。また結束した各紐の端部は融着したり、接着剤で接着したり、木ネジで螺着したり、またピン起立紐の中間部を調整金具で紐の長さを調整したり、圧着コネクターを介して一体化できるので長時間使用しても緩むことがなくなつた。
【００３７】
既製の座卓テーブル等を反射板として利用することができるので、製作コストを低減できるようになつた。    
【００３８】
ボールに詰め物をすることにより適度な重量を保持でき、各ピンに当るボールの衝撃力を上げることができ、また中指や人刺し指を差し込んでボールコントロールができるようになつたので、ストライクの確率が向上した。  
【００３９】
各ピンの紐取付穴にピン起立紐を挿通して、先端部に結び目を形成するだけでピン起立紐を取り付けることができるので、作業手間を減ずることができるようになつた。
【発明を実施するための最良の形態】
【００４０】
以下、本発明の実施の形態を図１〜図２２に基づいて説明する。
【００４１】
図においては、１はボウリングピンでピンデツキ板２の上に１０ピン配設している。ピン１の底部に設けているピン起立紐３はピンデツキ板２に穿設している通し穴１４を通して下部に出し、ピンデツキ板２の後部に出している。またピンデツキ板２下部四隅に支持板５とゴム足６を設けピンデツキ板２と床面の間に空間を形成し、ピンデツキ板２の下部に配設しているピン起立紐３がスムーズに動けるようにしている。ピンデツキ板２後部に出ている各ピン起立紐３は一つに結束且テーピング７され、その上から複数の結束バンド８で結束している。結束して揃えた各ピン起立紐３の端面は高温の過熱による融着部９を形成している。更に結束部に握り紐１０を結束バンド８で取り付けている。図１０（ロ）に示すようにＢ矢視部分を切断し高温で融着し、冷却後各ピン起立紐端部は一体に融合している。
【００４２】
図においては、２５は化学繊維紐で２６は天然繊維紐である。化学繊維紐２５と天然繊維紐２６はＳ字形状の金具２０で連結し、各ピン起立紐３の他端部側Ｄ部分に接着剤を塗布し結束バンド８で結束し締め付けて一体化している。
【００４３】
図においては、２７は圧着端子で紐挿通部２８にピン起立紐３を挿通し、ピン起立紐３の端部に結び目２２を形成し圧着端子２７に取り付けている。各ピン起立紐３は木製の紐取付具１３に圧着端子２７の取付穴に木ネジ２４で取り付け、各ピン起立紐３は同等の引張力で一体化している。
【００４４】
図においては、各ピン起立紐３の他端部側に輪状部２３を形成し、各ピン起立紐３の引張力が同等になるように木製の紐取付具１３に輪状部２３を木ネジ２４で取り付けている。
【００４５】
図においては、握り紐１０で連結したリング形状の紐取付具１３に端部が輪状部２３を形成したピン起立紐３を取り付け、前記輪状部２３とピン１底部に設けたピン起立紐３の端部に設けた輪状部２３を調整金具１５を曲折して連結している。紐を連結する場合は、各ピン起立紐３の引張力が同等に各ピン１に伝わるように、ピンデツキ板２と紐取付具１３を固定して輪状部２３と輪状部２３を調整金具１５の長さを、曲折の調整で連結している。  
【００４６】
図においては、握り紐１０で連結したリング形状の紐取付具１３にピン起立紐３を捲着して取り付け、紐３の折り返し部分とピン起立紐３を圧着コネクター２９に通し圧着して各ピン起立紐３を一体化している。  
【００４７】
図においては、各ピン起立紐３の結束を二つのたばに結束し、二つの結束たばと握り紐１０を結束バンド８で結束して連結している。
【００４８】
図においては、ピンデツキ板２の後方に座卓テーブル３２を立て、座卓テーブル３２の上面にクツシヨン材３１をゴム紐３３で取り付けている。そして反射板３０である座卓テーブル３２は位置角度を自在にすることができる。前側に傾斜板３４、後側に反射板として利用する座卓テーブル３２を配設する場合、ピンデツキ板２を回転させてピン起立紐３が斜め側方向に配設している。
【００４９】
図においては、１１は中空のプラスチツクのボウリングボール１１で貫通穴１２を一箇穿設している。貫通穴１２の径は平均的大人の中指１９が入る大きさとしている。貫通穴１２から小片にした詰め物１７を詰めボール１１内部は詰つた状態を形成している。
【００５０】
図においては、中空プラスチツクのピン１底部中央部に紐取付部３５を設け、紐取付部３５の両側に脚部３６を設け横断面略Ｈ形状を形成している。また紐取付部３５には脚部３６と平行方向に紐取付穴３７を設け、ピン起立紐３を挿通して先端部に結び目２２を形成してピン１に取り付けている。  
【００５１】
図においては、ピン１の底部に突出して紐取付部３５を形成し、紐取付部３５に紐取付穴３７を設けている。またピンデツキ板２の各ピン１を載置する部分に窪み部３９を形成し、窪み部３９の中心に通し穴１４を穿設してピン起立紐３を通し、その先端部を紐取付部に取り付けている。
【図面の簡単な説明】
【００５２】
【図１】本発明の実施の形態を示す正面図
【図２】本発明の実施の形態を示す平面図
【図３】本発明の実施の形態を示す底面図
【図４】各ピン起立紐を接着剤で接着する状態を示す底面図
【図５】各ピン起立紐を圧着端子を介して紐取付具に連結する状態を示す底面図
【図６】各ピン起立紐の輪状部を木ネジでとめて紐取付具に取り付けた状態を示す底面図
【図７】各ピン起立紐の中間部に調整金具で調整可能とした状態を示す底面図
【図８】各ピン起立紐を圧着コネクターを介してとめた状態を示す参考図
【図９】ピン起立紐の結束を複数のたばに分けて構成した状態を示す底面図
【図１０】（イ）（ロ）（ハ）ピン起立紐の結束の方法を示す参考図
【図１１】反射板に座卓テーブルを使用した状態を示す参考図
【図１２】反射板を使用した場合の一使用例を示す平面図
【図１３】本発明のボールの形態を示す正面図とＡ−Ａ矢視断面図
【図１４】本発明のピン底部にピン起立紐を取り付けた状態を示す正面図とＦ−Ｆ矢視拡大部分断面図
【図１５】本発明のピン底部に紐取付部、ピンデツキ板に窪み部を形成した状態を示す正面図と矢視Ｇ−Ｇ拡大部分断面図
【図１６】従来の紐の結束状態を示す参考図
【図１７】従来の紐の結束状態を示す参考図
【図１８】従来の反射板の配設状態を示す参考図
【図１９】従来の反射板の配設状態を示す参考図
【図２０】従来の中空のプラスチツクボールを示す正面図とＣ−Ｃ矢視断面図
【図２１】従来のピンに紐を取り付けた状態を示す参考図
【図２２】ボールを握つた状態を示す参考図
【符号の説明】
【００５３】
３  ピン起立紐      ７  テーピン      ８  結束バンド   ９  融着部             １０  握り紐        １２  貫通穴        １３  紐取付具      １５  調整金具      １７  詰め物        ２０  金具          ２２  結び目       ２３  輪状部         ２５ 化学繊維紐     ２６  天然繊維紐   ２７  圧着端子    ２９  圧着コネクター  ３０  反射板        ３１  クツシヨン材  ３２  座卓テーブル３４  傾斜板         ３５  紐取付部      ３６  脚部          ３７  紐取付穴      Ｂ  切断部          ３９  窪み部          Ｄ  接着剤塗布部   Ｅ  ボールの方向 
【図１】
2007301261.tif 000003
【図２】
2007301261.tif 000004
【図３】
2007301261.tif 000005
【図４】
2007301261.tif 000006
【図５】
2007301261.tif 000007
【図６】
2007301261.tif 000008
【図７】
2007301261.tif 000009
【図８】
2007301261.tif 000010
【図９】
2007301261.tif 000011
【図１０】
2007301261.tif 000012
【図１１】
2007301261.tif 000013
【図１２】
2007301261.tif 000014
【図１３】
2007301261.tif 000015
【図１４】
2007301261.tif 000016
【図１５】
2007301261.tif 000017
【図１６】
2007301261.tif 000018
【図１７】
2007301261.tif 000019
【図１８】
2007301261.tif 000020
【図１９】
2007301261.tif 000021
【図２０】
2007301261.tif 000022
【図２１】
2007301261.tif 000023
【図２２】
2007301261.tif 000024